(57)【要約】【課題】建築物の柱の全周に亘って広告スペースを備えるようにする。【解決手段】幅方向円弧状の複数の分割枠体７を建築物の柱２を取り囲みつつ幅方向端部が互いに突き合わさるように連結することで円筒状の取り付け枠体３を形成し、この取り付け枠体３の外周面に、広告物４を備えた幅方向円弧状の複数の分割ディスプレイ体２６を幅方向端部が互いに突き合わさるように取り付ける。【選択図】図１
2005128179.tif 000002
【特許請求の範囲】
【請求項１】
幅方向円弧状の複数の分割枠体（７）を建築物の柱（２）を取り囲みつつ幅方向端部が互いに突き合わさるように連結することで円筒状の取り付け枠体（３）を形成し、この取り付け枠体（３）の外周面に、広告物（４）を備えた幅方向円弧状の複数の分割ディスプレイ体（２６）を幅方向端部が互いに突き合わさるように取り付けていることを特徴とする広告装置。
【請求項２】
前記分割枠体（７）の上部外周面に分割ディスプレイ体（２６）を吊り持ち状に取り付ける吊り持ち手段（１３）を備えていることを特徴とする請求項１に記載の広告装置。
【請求項３】
前記吊り持ち手段（１３）は、分割枠体（７）の上部外周面に突設するピン部材（１４）と分割ディスプレイ体（２６）の上部に設けられ且つ前記ピン部材（１４）に遊嵌する嵌合孔（２９）とを有していることを特徴とする請求項１又は２に記載の広告装置。
【請求項４】
前記吊り持ち手段（１３）及び分割ディスプレイ体（２６）の上部を覆うべく、目隠し部材（３２Ａ）を取り付け枠体（３）の上部で且つ全周に亘って設けていることを特徴とする請求項１〜３のいずれかに記載の広告装置。
【請求項５】
前記分割ディスプレイ体（２６）は広告物（４）を挟み込み可能な２層材（２７）（２８）からなり、各層材（２７）（２８）をその周方向位相が互いにずれるように配置していることを特徴とする請求項１〜４のいずれかに記載の広告装置。
【発明の詳細な説明】
【技術分野】
【０００１】
本発明は、広告物を展示するために用いる広告装置に関するものである。
【背景技術】
【０００２】
従来から、駅のホームなどの側壁には、広告ポスター等の広告物が貼りつけられており、これら公共の場は人通りが多いこともあって、これら広告物による宣伝効果は非常に大きいものとなっている。特に、地下鉄のホームや地下街等の地下構造物においては、円柱や角柱が多く設けられているものとなっており、これらの柱に広告物を設けるようにすることで大きな宣伝効果を得ることが可能である。
特許文献１には、建築物の円柱に広告物を取り付けるための広告装置の技術が開示されている。
【０００３】
この技術は、２個一対の半円筒体を柱を抱きかかえるように配置することで円筒体を形成し、この半円筒体内の左右両側に巻取りシャフトを起立し、その両巻取りシャフトに広告表示した横長フィルムを装着し、シャフトを介して巻取り可能としている。これにより、フィルム上に印刷された複数の広告を、前記半円筒体の外周面すなわち広告表示面に映し出すことができるようになっているものである。
【特許文献１】実用新案登録第３０８７２５９号公報（第６頁〜第８頁、図１）
【発明の開示】
【発明が解決しようとする課題】
【０００４】
しかしながら、特許文献１に記載された広告装置は、半円筒体の幅方向両側部に広告フィルムを巻き取るシャフトが設けられるものであるため、両シャフトの間でのみ広告表示可能となっている。すなわち、特許文献１の広告装置は、柱の全周に設けられるものであるにも関わらず、広告のためのスペース（広告表示面）は限られたものとなっており、効果的な宣伝効果を上げづらいものとなっている。
そこで、本発明は、上記問題点を鑑み、建築物の柱の周囲に容易に取り付けられ、且つその全周に亘って広告スペースを備える広告装置を提供することを目的とするものである。
【課題を解決するための手段】
【０００５】
前記目的を達成するため、本発明においては以下の技術的手段を講じた。
すなわち、本発明における課題解決のための技術的手段は、幅方向円弧状の複数の分割枠体を建築物の柱を取り囲みつつ幅方向端部が互いに突き合わさるように連結することで円筒状の取り付け枠体を形成し、この取り付け枠体の外周面に、広告物を備えた幅方向円弧状の複数の分割ディスプレイ体を幅方向端部が互いに突き合わさるように取り付けていることを特徴とする。
この技術的手段によれば、複数の分割枠体を、建物の柱回りで且つ幅方向端部が突き合わさるように配置することで、容易に取り付け枠体を形成することができる。さらに、取り付け枠体の外周面に、分割ディスプレイ体を幅方向端部が互いに突き合わさるように取り付けることで、全周にわたって広告物を展示することが可能となる。
【０００６】
また、本発明における課題解決のための技術的手段は、前記分割枠体の上部外周面に分割ディスプレイ体を吊り持ち状に取り付ける吊り持ち手段を備えていることを特徴とする。
この技術的手段によれば、吊り持ち手段により分割ディスプレイ体を分割枠体に着脱自在に取り付けることが可能となる。また、分割ディスプレイ体の下部を非拘束状態とすることができため、分割ディスプレイ体の縦方向の伸び縮みが自由となり、分割ディスプレイ体自体の変形を防ぐことが可能となる。
【０００７】
また、本発明における課題解決のための技術的手段は、前記吊り持ち手段は、分割枠体の上部外周面に突設するピン部材と分割ディスプレイ体の上部に設けられ且つ前記ピン部材に遊嵌する嵌合孔とを有していることを特徴とする。
この技術的手段によれば、分割ディスプレイ体を設置する際に、嵌合孔を容易にピン部材にはめ込むことができ取り付け作業の簡便化が図れる。また、取り付け後、分割ディスプレイ体が幅方向（周方向）に伸び縮みしたり、その伸び縮みに伴い径方向に変形したりしても、分割ディスプレイ体の嵌合孔はピン部材に対して幅方向に若干移動が可能であると共に、ピン部材上を径方向にも若干ながら移動可能であるため、分割ディスプレイ体に歪みが生じたりすることを防止することができる。
【０００８】
また、本発明における課題解決のための技術的手段は、前記吊り持ち手段及び分割ディスプレイ体の上部を覆うべく、目隠し部材を取り付け枠体の上部で且つ全周に亘って設けていることを特徴とする。
この技術的手段によれば、目隠し部材により吊り持ち手段が覆われると共に、外層材や内層材を目隠し部材で押さえることでその位置規制を行うことが可能となる。
また、本発明における課題解決のための技術的手段は、前記分割ディスプレイ体は広告物を挟み込み可能な２層材からなり、各層材をその周方向位相が互いにずれるように配置していることを特徴とする。
【０００９】
この技術的手段によれば、２層材の間に広告物を挟み込むことで、容易に分割ディスプレイ体に広告物をセッティングすることが可能となる。また、２層材すなわち内外層材の配置位相が周方向がずれているため、内層材の継ぎ目と外層材の継ぎ目が不一致となり、分割ディスプレイ体の継ぎ目が径方向にずれたりすることを防ぐことができるようになる。
【発明の効果】
【００１０】
本発明にかかる広告装置は、建築物の柱の周囲に容易に取り付けが可能であり、柱の全周に亘って広告スペースを設けることを可能とする。
【発明を実施するための最良の形態】
【００１１】
以下、本発明にかかる広告装置を、図を基にして説明する。
図１は、本発明にかかる広告装置１の斜視図であって、地下鉄の駅や地下街に設けられた建築物の柱２を取り囲むように取り付け枠体３が配置されており、その外周面に広告ポスター等の広告物４が取り付けられたディスプレイ体５が設けられるものである。
取り付け枠体３は円筒形状を有し、図２〜図４に示すように、幅方向略円弧状の複数の分割枠体７を、建築物の柱２を取り囲みつつ幅方向端部が互いに突き合わさるように連結することで形成されている。
【００１２】
なお、本実施形態の説明においては、図２における左右を幅方向もしくは左右方向と呼び、上下を上下方向と呼ぶ。また、建築物の柱２は角柱の場合を例示して説明をする。
前記分割枠体７は、幅方向略円弧状に成形された内部材８を備えており、その円弧角は略１２０度である。内部材８の径方向外側には、内部材８と略同一円弧状の第１外部材９が設けられている。内部材８と第１外部材９とは径方向に延びる複数の連結部材１０を介して互いが連結されるものとなっている。かかる連結部材１０は、内部材８及び第１外部材９の幅方向両端部および幅方向中途部に適宜設けられるものとなっている。
【００１３】
第１外部材９の下面には、結合部材１７が下方突出するように設けられ、その先端に前記第１外部材９と略同一形状の第２外部材１１の上面が取り付けられており、これらで上枠体１２が構成されるものとなっている。
かかる上枠体１２の上面（第１外部材９の上面及び内部材８の上面）には外板材２４が取り付けられている。
一方、分割枠体７は、前記上枠体１２を鏡面対称とした構成を有する下枠体１５を備えている。すなわち、下枠体１５は、略円弧状の内部材８と、その径外方向に連結部材１０により固定されている第１外部材９と、第１外部材９の上面から立設する結合部材１７と、この結合部材１７の先端に下面が固定されている第２外部材１１とから構成されている。
【００１４】
前記上枠体１２の内部材８と下枠体１５の内部材８とは、上下方向に延びる複数の上下連結部材１６により連結されており、分割枠体７が形成されるものとなっている。かかる上下連結部材１６は、内部材８の幅方向両端部及び幅方向中途部に適宜設けられるものとなっている。
なお、分割枠体７を構成する内部材８、第１外部材９、第２外部材１１、連結部材１０、上下連結部材１６は、それぞれ鋼製やアルミ製の角パイプを成形加工することで形成されており、それぞれは溶接等で固着されるものとなっている。
【００１５】
内部材８及び上下連結部材１６の径方向内側には、板材等で構成された内面材２０がネジ等で取り付けられ、分割枠体７の内側壁を形成するものとなっている。さらに、前記内面材２０には、上下方向を向く蛍光灯が周方向に複数取り付けられ照明手段２１が構成され、後述のディスプレイ体５に配置された広告物４をその裏面から照明することを可能としている。
照明効果を上げるため、前記内面材２０には白色の塗装が施してあり、径外方向への照度がアップを図るようにしている。なお、照明手段２１は蛍光灯に限定されるものではなく、電球などを用いてもよい。
【００１６】
以上説明した分割枠体７は、内面材２０が角柱２の角に接触し且つ角柱２を抱きかかえるように配置されており、さらに、各分割枠体７の周方向端部が互いに突き当たるように連結されている。
詳しくは、各分割枠体７の端部にある連結部材１０同士が面接しており、この連結部材１０に設けられた貫通孔２２にボルト等の締結具２３が貫通し、両者を締め付けることで、各分割枠体７が互いに連結固定されるようになっている。本実施形態の場合は、３個の分割枠体７をもって角柱２の周囲を取り囲んで、円筒状の取り付け枠体３を形成している。
【００１７】
前記分割枠体７は、その外周面に後述するディスプレイ体５を吊り持ちする吊り持ち手段１３を備えている。この吊り持ち手段１３は、上枠体１２の第２外部材１１外周面に設けられたピン部材１４と、後述する分割ディスプレイ体２６の上部に形成された嵌合孔２９とを有している。このピン部材１４は、分割ディスプレイ体２６の嵌合孔２９に対応する位置に複数本突設されるものとなっており、その先端には抜け止め用の頭部１９が形成されている。
この吊り持ち手段１３により、取り付け枠体３の外周面には、広告ポスター等の広告物４が３６０度に亘って取り付けられたディスプレイ体５が取り付けられるものとなっている。
【００１８】
ディスプレイ体５は、広告物４を挟み込み可能で且つ２層材からなる複数（４つ）の分割ディスプレイ体２６から構成され、分割ディスプレイ体２６の幅方向端部が互いに突き合わさるように配置されるものとなっている。また、２層材の各層材、すなわち内層材２７と外層材２８との周方向位相が互いにずれるように配置されるものとなっている。
内層材２７は、例えば、ポリカーボネイト（ＰＣ）等で形成され、幅方向に略円弧状であり、その円弧角を略９０度としている。内層材２７の上下方向の長さは、取り付け枠体３の上下方向長さ（上下一対の第２外部材１１，１１間距離）と略一致するものとなっている。
【００１９】
内層材２７の上部には、それぞれの両端部から幅方向長さの１／４の位置に嵌合孔２９が形成され、１つの内層材２７には２つの嵌合孔２９が形成されるものとなっている。この嵌合孔２９は前記ピン部材１４に遊嵌するものとなっており、図６に示すように鍵穴を横長にした形状を有している。
詳しくは、当該嵌合孔２９は、周方向に幅広の孔２９ａとその上方に連通する幅狭の孔２９ｂからなり、幅狭の孔２９ｂもピン部材１４に遊嵌している（ピン部材１４の径より幅狭の孔の幅が広い）ため、分割ディスプレイ体２６は周方向に若干ながら移動自在となっている。
【００２０】
しかしながら、嵌合孔２９はピン部材１４の頭部１９に引っかかるようになっているため、容易にはディスプレイ体５がピン部材１４から径外方向に外れることは無い。
内層材２７には乳半色のシート（透光性を有する白色のシート）が貼り付けてあり、照明手段２１からの光を適宜拡散させる効果を持っており、広告物４全体に均一に光が照射されるようになっている。
これら４つの内層材２７は、図４に示す如く、取り付け枠体３の外周面にその継ぎ目（ジョイント部）１８が、周方向で９０度毎の位置にくるように取り付けられている。
【００２１】
内層材２７の外側には、内層材２７と略同一形状の外層材２８が覆い被さるように取り付けられるものとなっている。外層材２８は透明のポリカーボネイトが用いられており、外層材２８を介して広告物４が外部から見ることができるものとなっている。この外層材２８の上部にも、それぞれの両端部から幅方向長さの１／４の位置に嵌合孔２９が形成されている。すなわち、１つの外層材２８には２つの嵌合孔２９が形成されるものとなっている。
複数（４つ）の外層材２８は、図４に示すように、そのジョイント部１８が内層材２７に対して４５度位相がずれるように配設されている。したがって、内層材２７の右側の嵌合孔２９に嵌り込んでいるピン部材１４には、その外側から外層材２８の左側の嵌合孔２９が嵌り込むようになっている。換言すれば、内層材２７と外層材２８との重合部分の略中央にピン部材１４が嵌り込むことになっている。
【００２２】
分割ディスプレイ体２６の嵌合孔２９（幅狭の孔２９ｂ）は、前述の如く左右方向に幅を有し、ピン部材１４にガタついた状態で嵌り込んでいるものとなっている。したがって、照明手段２１からの熱により分割ディスプレイ体５が幅方向に伸び縮みしたとしても、取り付け枠体３に強固に固定されていないため、分割ディスプレイ体２６自体に歪みが生じず、広告物４が見にくくなるといったことを回避可能としている。
また、分割ディスプレイ体２６は、吊り持ち手段１３により吊り持ち状に取り付けられ、その下部は第２外部材１１の径外方向外側に接しつつも浮き上がった状態となっている。ゆえに、分割ディスプレイ体２６に上下方向の伸び縮みが生じた場合であっても、その変化を解消できる空間が存在するため、分割ディスプレイ体２６自体に歪みが生じることを防ぐことができるようになる。
【００２３】
図１〜図３，図６に示すように、ディスプレイ体５の取り付けられた取り付け枠体３には、その上部に目隠し部材３２Ａが全周にわたって設けられている。
この目隠し部材３２Ａは断面Ｌ字状で幅方向に略円弧状に形成されており、円弧角は略１２０度である。複数（３つ）の目隠し部材３２の幅方向端部が突き合わさるように、上枠体１２の第１外部材９に取り付けられることで、取り付け枠体３の上部を全周にわたって覆うようになっている。
断面Ｌ字形状の目隠し部材３２Ａは、水平方向を向く固定部３３と、その径外方向先端から下方に下方突出する突出部３４と、この突出部３４の先端から径内方向に向く押さえ部３５とから構成されている。前記固定部３３が第１外部材９の上面に配置され、化粧ボルト等の締結具２３で固定されるものとなっている。その際、突出部３４が吊り持ち手段１３を覆い隠し、さらに押さえ部３５は分割ディスプレイ体２６を押さえるように配置されるため、ディスプレイ体５がピン部材１４から外れることを防止する役目を奏するものとなる。
【００２４】
図７に示すように、各目隠し部材３２Ａは、その両端に他の目隠し部材３２Ａと連結するための突出片３６を有している。この突出片３６は目隠し部材３２Ａの幅方向に突出し、その上下幅は目隠し部材３２Ａの略半分である。目隠し部材３２Ａの右側端下部に一方の突出片３６が溶接等で固着されるように設けられると共に、左側端上部に他方の突出片３６が固着されている。
目隠し部材３２Ａを突きあわせた場合、突出片３６は目隠し部材３２Ａの内側で上下に重なり合うことになり、両突出片３６に設けられた上下に貫通する貫通孔２２に止めピン部材３７を差し込むことで、隣接する目隠し部材３２Ａ同士を連結するようにしている。
【００２５】
本実施形態の場合、取り付け枠体３の下部側にも、前記目隠し部材３２Ｂを設けている。
下枠体１５（取り付け枠体３の下部側）に取り付けられる目隠し部材３２Ｂは、水平方向を向く固定部３３と、その径外方向先端から上方に立設する立設部３８と、この立設部３８の先端から径内方向に突出する押さえ部３５とを備えており、固定部３３が下枠体１５の下面に接するように配置されている。その際、断面矩形状である押さえ部３５は分割ディスプレイ体２６の下端が前面に張り出すことを防ぐ位置規制を行うと共に、立設部３８は下枠体１５全体を覆い隠すものとなっている。
【００２６】
なお、本実施形態の場合、押さえ部３５と分割ディスプレイ体２６との間に間隔設定部材３９を挟み込み、両者の間を分割ディスプレイ体２６を上方から嵌め込み可能なものとしている。
以上述べた広告装置１は、建築物の柱２を囲むようにして床面Ｆに直接配置されても全く問題はないが、本実施形態の場合は、載置台４２の上に配置するようにしている。
当該載置台４２は、角柱２がその内部を貫通する円筒状の形状を有し、幅方向に略円弧状の分割体４３をその幅方向端部を突き合わせるように配設しお互いを連結することで構成される。
【００２７】
各分割体４３は、分割枠体７と略同形状であって、幅方向に略１２０度の円弧状であり、角パイプ等の部材を適宜用いて形成されるものとなっている。各分割体４３同士の連結にはボルト等の締結具２３が用いられている。載置台４２の外周面には、外壁板材４４が取り付けられるものとなっている。
この載置台４２の内部は空洞となっているため、内部に前記蛍光灯２１を作動させるための安定器４５やインバータ回路等を収納するようにしている。
上下方向の長さ、すなわち高さが異なる分割体４３を準備しておくことで、取り付け枠体３をその設置環境に応じた所定の高さに設けることが可能となる。
【００２８】
図３から判るように、本実施形態の場合、建築物の柱２は角柱であり、取り付け枠体３は円筒状であるため、取り付け枠体３の内側面と角柱２の側壁との間には空隙が形成されている。この空隙を閉塞するために、図６に示す如く、上部内部材８の上方には蓋体４８がビス止めされており、前記空隙を上方から閉塞するものとなっている。この蓋体４８は、図３に示すように平面視三日月状の形状を有するものであり、照明手段２１により発生する熱を外部に逃がすために、ファン等の換気手段４９が設けられるものとなっている。
また、前記電源配線を広告装置１に引き込むための引き込み開口部５０も、蓋体４８の角柱２の近傍部位に設けられている。
【００２９】
本発明にかかる広告装置１の使用態様は以下の通りである。
広告装置１を設置したい建築物の柱２に、まず載置台４２を構成する分割体４３を配置し、その上に分割枠体７を載置し、両者の間に目隠し部材３２Ｂの固定部３３を挟み込むようにする。その後、固定部３３、下枠体１５、分割体４３を貫通する締結具２３を締め付けることで、３者を締結するようにする。
このように連結された分割体４３及び分割枠体７を複数（３つ）、その内側面が角柱２の角部に接するように配置し、それぞれの幅方向端部をボルト等の締結具２３で連結する。そうすることで載置台４２の上に取り付け枠体３が配置されるものとなる。
【００３０】
この取り付け枠体３に、複数（４つ）の内層材２７を吊り持ち手段１３をもちいて吊り持ち状に取り付ける。すなわち、内層材２７の下部を目隠し部材３２Ｂの押さえ部３５と第２外部材１１との間の空隙に差し込んだ上で、内層材２７上部の嵌合孔２９にピン部材１４を貫通させ、幅狭孔２９ｂに嵌り込ませるようにする。
その後、この内層材２７上に広告物４（広告ポスター）を貼り付け、その上から外層材２８を周方向位相が４５度ずれるように覆い被せる。すなわち、外層材２８の下部を目隠し部材３２Ｂの押さえ部材３５と内層材２７との間の空隙に差し込んだ上で、外層材２８上部の嵌合孔２９にピン部材１４を貫通させ、幅狭孔２９ｂに嵌り込ませるようにする。こうすることで外層材２８も吊り持ち状に取り付けられるものとなる。
【００３１】
広告物４は最終的にディスプレイ体５の２層材の間に挟み込まれるように配置されるため、内層材２７に強固に貼り付ける必要はなく、広告物４の取り替えも非常に楽なものとなっている。
ディスプレイ体５を設置した後に、上枠体１２に目隠し部材３２Ａを取り付ける。この目隠し部材３２Ａに外付けの照明を取り付けることでより、ディスプレイ体５を明るくし宣伝効果を上げることも可能である。
さらに、建築物の柱２が角柱である際には、上枠体１２に蓋体４８を取り付けるようにする。広告装置１内の照明手段２１に電力を供給する電源線は、角柱２の側壁に沿わしつつ落とし込み、蓋体４８の引き込み開口部５０を介して内部に配線するようにする。
【００３２】
なお、本発明は、上記実施の形態に限定されるものではない。
建築物の柱２は円柱であっても何ら問題はなく、地下構造物（地下街や地下鉄の駅）の柱に限定されるものではない。
また、取り付け枠体３は、複数の分割枠体７により構成されるものであればよく、２つ又は４つの分割枠体７を互いにつきあわせるように配置して構成してもよい。同様に２つ又は４つの分割ディスプレイ体２６からディスプレイ体５を構成するようにしても何ら問題はない。
【００３３】
吊り持ち手段１３のピン部材１４は、ディスプレイ体５がはずれることをより確実に防止するために、斜め上方に突設するように設けることが好ましい。
また、外層材２８や内層材２７は、アクリル樹脂等のプラスチック材で成形してもよい。
【図面の簡単な説明】
【００３４】
【図１】広告装置の斜視図である。
【図２】広告装置の正面図である。
【図３】広告装置の平面図である。
【図４】図２のＡ−Ａ線断面図である。
【図５】図３のＢ−Ｂ線断面図である。
【図６】図２のＣ−Ｃ線断面図である。
【図７】目隠し部材の接合部の拡大図である。
【符号の説明】
【００３５】
１    広告装置
２    建築物の柱
３    取り付け枠
４    広告物
７    分割枠体
１３  吊り持ち手段
１４  ピン部材
２６  分割ディスプレイ体
２９  嵌合孔
３２Ａ（上枠体の）目隠し部材
【図１】
2005128179.tif 000003
【図２】
2005128179.tif 000004
【図３】
2005128179.tif 000005
【図４】
2005128179.tif 000006
【図５】
2005128179.tif 000007
【図６】
2005128179.tif 000008
【図７】
2005128179.tif 000009